(57)【要約】【課題】遊技媒体貸出機で使用される遊技媒体貸出用コインの偽造や複製及び、劣化による識別不良の対策として使用するＩＣコインの正規判別に必要なデータを、通信手段を必要とせずに遊技媒体貸出機に登録することができる遊技媒体貸出システムを提供する。【解決手段】ＩＣコインは、遊技媒体を貸出す際に使用する、正規データを書き込んだ、営業用ＩＣコインと、遊技媒体貸出機のデータ処理部に書き込まれているデータを変更する際に使用する、変更された正規データを書き込んだ、データ管理専用ＩＣコインとで構成し、前記データ管理専用ＩＣコインを遊技媒体貸出機へ投入して、ＩＣコインの正規判別に必要なデータをデータ処理部に書き込む。【選択図】図１
2006305140.tif 000002
【特許請求の範囲】
【請求項１】
パチンコホール、ゲームセンター、カジノ等の遊技場で、遊技媒体を貸出す際に使用するＩＣコインと、該ＩＣコインのデータを読み取り及び、書き込むためのリーダライターと、前記ＩＣコインのデータを管理するための端末機と、ＩＣコインのデータを正規判別するデータ処理部を備えた遊技媒体貸出機と、から構成された遊技媒体貸出システムにおいて、
前記遊技媒体貸出機へデータ変更用ＩＣコインを投入することにより、前記データ処理部に正規判別に必要なデータを書き込むことのできる遊戯媒体貸出システム。
【発明の詳細な説明】
【技術分野】
【０００１】
本発明は、パチンコホール、ゲームセンター、カジノ等の遊技場で使用される、遊技媒体を貸出すシステムに関する。
【背景技術】
【０００２】
例えば、パチンコホール、ゲームセンター、カジノ等の遊技場で使用する遊技媒体を貸出には、遊技者が予め接客カウンター等で、遊技媒体貸出用コイン又は、プリペイドカード等を購入して、遊技媒体貸出機へ投入することにより、遊技媒体は貸出される。
【０００３】
遊技媒体貸出用ＩＣコイン判別としては特許文献１に示すものがある。遊技動体の払出しに使用し、認証に必要な被認証情報を記録したＩＣコインのような情報記録媒体に対して情報処理する情報記録媒体処理装置と、前記情報記録媒体の被認証情報と既登録の認証に必要な情報との比較判定に基づいて該情報記録媒体の認証可否を判定する認証処理を実行して該情報記録媒体を管理する情報管理装置とを、中継機を介して情報通信が可能に接続した遊技情報管理システムまたは中継機であって、前記中継機に、情報記録媒体の認証に必要な情報を登録する登録部と、該登録部に登録された情報と情報記録媒体の被認証情報との比較判定に基づいて認証処理を実行する判定部を備え、前記情報記録媒体処理装置から中継機を介して送信された情報記録媒体の被認証情報に基づき情報管理装置が認証処理を実行して該情報記録媒体を認証したとき、該情報記録媒体の認証に必要な情報を中継した中継機の登録部に登録し、該情報記録媒体の２回（２度）目以降の使用時に該中継機で該情報記録媒体の認証処理を実行する遊技情報管理システムまたは中継機である構成が下記の文献にて開示されている。
【０００４】
【特許文献１】特開２００２−１２６３３０
【発明の開示】
【発明が解決しようとする課題】
【０００５】
しかしながら、特許文献１においては、ＩＣコインの承認可否の判定に必要な情報の登録を、通信手段を介してホストコンピューター等から登録するので、システム構築にあたり通信手段が必要となる。このため、施工時には周辺機器の設置に加えて通信手段の大掛かりな工事が必要となる。  
【０００６】
また、前記通信手段を設置する必要があるため、不正対策のシステム構築には費用の負担がかかる等の課題を有していた。
【０００７】
そこで本発明は、遊技媒体貸出機で使用される遊技媒体貸出用コインの偽造や複製及び、劣化による識別不良の対策として使用するＩＣコインの正規判別に必要なデータを、通信手段を必要とせずに遊技媒体貸出機に登録することができる遊技媒体貸出システムを提供することにある。
【課題を解決するための手段】
【０００８】
上記の問題を解決するために、パチンコホール、ゲームセンター、カジノ等の遊技場で、遊戯媒体を貸出す際に使用するＩＣコインと、該ＩＣコインのデータを読み取り及び、書き込むためのリーダライターと、前記ＩＣコインのデータを管理するための端末機と、ＩＣコインのデータを正規判別するデータ処理部を備えた遊技媒体貸出機と、から構成された遊技媒体貸出システムにおいて、前記遊技媒体貸出機へデータ変更用ＩＣコインを投入することにより、前記データ処理部に正規判別に必要なデータを書き込むことのできることを特徴とする。
【発明の効果】
【０００９】
本発明の遊技媒体貸出システムによれば、遊技媒体貸出機のデータ処理部に書き込まれているデータを変更する際に使用する、データ変更用ＩＣコインを遊技媒体貸出機へ投入して、正規判別に必要なデータをデータ処理部に書き込むので、通信手段を必要とせずにＩＣコインの正規判別を行うことができる。このことにより従来の手段と比較して、一元管理とは異なるため、大掛かりな通信関係の設備工事が不要となり費用の負担が軽減される。また、通信を使用しないため通信障害による不具合に対しても有効となる。
【発明を実施するための最良の形態】
【００１０】
以下、本発明の実施形態を添付の図面に基づいて説明する。
【実施例１】
【００１１】
図１に示すようにパチンコホール、ゲームセンター、カジノ等の遊技場に設置される本システムは、データ変更用ＩＣコイン１ａ及び、営業用ＩＣコイン１ｂに、例えば正規判別に必要な固有のデータを書き込むリーダライター２と、前記データの管理を行う端末機３と、営業用ＩＣコイン１ｂを貸出す接客カウンター４ａ又は、ＩＣコイン貸出機４ｂと、複数台の列設された遊技機５と、営業用ＩＣコイン１ｂを投入し遊技媒体を貸出す遊技媒体貸出機６と、該遊技媒体貸出機６へ投入されたデータ変更用ＩＣコイン１ａ及び、営業用ＩＣコイン１ｂを回収するためのコイン搬送装置７と、前記コイン搬送装置７により回収されたデータ変更用ＩＣコイン１ａ及び、営業用ＩＣコイン１ｂを貯留するコイン回収金庫８により構成されている。尚、上記営業用ＩＣコイン１ｂに、前記正規判別に必要な固有のデータに加えて、例えば高額の金額情報を書き込むことにより、遊技者は任意の金額分の遊技媒体を借りることができる。前記営業用ＩＣコイン１ｂの金額情報を残額に書き換え遊技者に返却することにより、遊技者は再び営業用ＩＣコイン１ｂを使用し、遊技媒体を借りることができる構成としても良い。また、遊技媒体貸出機６にて使用されたデータ変更用ＩＣコイン１ａ及び、営業用ＩＣコイン１ｂが、前記遊技媒体貸出機６内のＩＣコイン貯留部４６に貯留される構造とし、コイン搬送装置７及び、コイン回収金庫８を必要としない構成としても良い。
【００１２】
図２に示す遊技媒体貸出機６は、データ変更用ＩＣコイン１ａ及び、営業用ＩＣコイン１ｂを投入するＩＣコイン投入口６６と、前記データ変更用ＩＣコイン１ａ及び、営業用ＩＣコイン１ｂのデータを読み取り及び、書き込むためのデータ処理部６１と、正規判断されたＩＣコインをコイン搬送装置７に誘導するコイン回収通路６２と、正規判断より弾かれたコインを返却するコイン返却通路６３と、前記正規判断されたことにより遊技媒体を払出す遊技媒体払出部６４と、前記遊技媒体払出部から払い出された遊技媒体を受ける遊戯媒体受皿より構成されている。尚、前記構成において、コイン回収通路６２を必要とせずに、使用されたＩＣコインを貯留するＩＣコイン貯留部６７を設けた構成としても良い。
【００１３】
次に図３（ａ）のデータ変更用ＩＣコインの流れをフローチャートを基に説明すると、リーダライター２にて、例えば遊技媒体貸出機６の台数以上の複数枚のデータ変更用ＩＣコイン１ａに例えば、正規判別に必要な固有のデータを書込む（Ｓ１０１）。前記データ変更用ＩＣコイン１ａのデータは、リーダライター２から端末機３に収集され、データを確認（Ｓ１０２）することができる。
【００１４】
データが書き込まれたデータ変更用ＩＣコイン１ａを、例えば従業員が遊技媒体貸出機６に投入（Ｓ１０３）することにより、遊技媒体貸出機６に備わっているデータ処理部６１を通過する際に、データ変更用ＩＣコイン１ａのデータが書き込まれる。
【００１５】
遊技媒体貸出機６に投入されデータ処理部６１を通過したデータ変更用ＩＣコイン１ａは、コイン搬送装置７により回収（Ｓ１０４）されコイン回収金庫８に貯留（Ｓ１０５）される。後に、従業員により回収される。
【００１６】
続いて図３（ｂ）の営業用ＩＣコインの流れをフローチャートを基に説明すると、リーダライター２にて、営業用ＩＣコイン１ｂにデータ変更用ＩＣコイン１ａと同じデータを書き込み（Ｓ２０１）、データを端末機３に収集され確認（Ｓ２０２）することができる。
【００１７】
データを書き込んだ前記営業用ＩＣコイン１ｂは接客カウンター４ａ又は、ＩＣコイン貸出機４ｂにて遊技者に販売（Ｓ２０３）する。
【００１８】
前記営業用ＩＣコイン１ｂは遊技者により遊技媒体貸出機６に投入され、データ処理部６１を通過する際に、正規判別としてデータ変更用ＩＣコイン１ａにて書き込まれたデータと、投入された営業用ＩＣコイン１ｂのデータを照合（Ｓ２０４）して、一致した場合のみ遊技媒体払出部６４より遊技媒体が貸出され遊技機５にて使用される。
【００１９】
データ処理部６１にてデータが照合され正規と判断された営業用ＩＣコイン１ｂは、コイン搬送装置７にて回収（Ｓ２０５）されコイン回収金庫８へ貯留（Ｓ２０６）される。後に、従業員により回収され、営業用ＩＣコイン１ｂはリーダライター２にてデータを読み取り、端末機３にデータを収集した後に、接客カウンター４にて再び遊技者に販売（Ｓ２０３）される。
【００２０】
上記構成において、遊技媒体貸出機６に不正コイン及び、データ処理部６１でデータの照合が一致しない営業用ＩＣコイン１ｂ以外のＩＣコインを投入した場合には、返却され遊技媒体の貸出はされない。
【００２１】
また、データ変更用ＩＣコイン１ａ及び、営業用ＩＣコイン１ｂのデータ及び、枚数を端末機３にて管理しているので、前記データ変更用ＩＣコイン１ａ及び、営業用ＩＣコイン１ｂのデータの偽造に対する不正を発見することができる。
【００２２】
ＩＣコインのデータの偽造に対しては、上記に表記した図３（ａ）のデータ変更用ＩＣコイン１ａを用いて、遊技媒体貸出機６のデータ処理部６１のデータを書き換えることにより偽造による不正を防げる。
【産業上の利用可能性】
【００２３】
本発明の遊技媒体貸出システムは、営業用ＩＣコインを使用して遊技媒体を貸出すシステムにおいて、データ変更用ＩＣコインを遊技媒体貸出機に投入して正規判別データを登録することにより、通信手段を必要とせずに、遊技媒体貸出用コインの偽造や複製及び、劣化による識別不良の対策としての利用が可能となる。
【図面の簡単な説明】
【００２４】
【図１】図１は、本発明に係わる遊技媒体貸出システムを示す概略図である。
【図２】図２は、本発明に係わる遊技媒体貸出機を示す概略図である。
【図３】図３（ａ）は、データ変更用ＩＣコインの流れを説明するフローチャートである。図３（ｂ）は、営業用ＩＣコインの流れを説明するフローチャートである。
【符号の説明】
【００２５】
１ａ  データ変更用ＩＣコイン
１ｂ  営業用ＩＣコイン
２  リーダライター
３  端末
４ａ  接客カウンター
４ｂ  ＩＣコイン貸出機
５  遊技機
６  遊技媒体貸出機
６１  データ処理部
６２  コイン回収通路
６３  コイン返却通路
６４  遊技媒体払出部
６５  遊技媒体受皿
６６  ＩＣコイン投入口
６７  ＩＣコイン貯留部
７  コイン搬送装置
８  コイン回収金庫
【図１】
2006305140.tif 000003
【図２】
2006305140.tif 000004
【図３】
2006305140.tif 000005